(57)【要約】【課題】  エコーガイド下による穿刺法の訓練をおこなうことができる医療処置の訓練用皮膚モデル、医療処置の訓練用皮膚モデルのエコー画像の視認性調整方法および超音波ガイド法の穿刺手技訓練方法を提供する。【解決手段】  医療処置の訓練用皮膚モデル１０は、平均重合度が５００〜４０００であり、ケン化度が９５モル％以上のポリビニルアルコールの水溶液と、平均粒子径が１００μｍ以下である非水溶性の粉体又は繊維とを混合する混合液をゲル化したものである。医療処置の訓練用皮膚モデル１０を使用してエコーガイド下による穿刺手技を行う場合、エコー画像にて針先が見え易くなる。これにより、超音波ガイド法の穿刺手技訓練が可能になる。また、非水溶性の粉体又は繊維の濃度により調整することにより、医療処置の訓練用皮膚モデル１０のエコー画像の視認性を調整することができる。【選択図】  図１
2020166187.tif 000002
【特許請求の範囲】
【請求項１】
平均重合度が５００〜４０００であり、ケン化度が９５モル％以上のポリビニルアルコールの水溶液と、平均粒子径が１００μｍ以下である非水溶性の粉体又は繊維とを混合する混合液をゲル化したものであることを特徴とする医療処置の訓練用皮膚モデル。
【請求項２】
非水溶性の粉体又は繊維の濃度を０．２質量％〜４．０質量％にすることを特徴とする請求項１記載の医療処置の訓練用皮膚モデル。
【請求項３】
非水溶性の粉体が、炭酸カルシウムであることを特徴とする請求項２記載の医療処置の訓練用皮膚モデル。
【請求項４】
請求項１乃至請求項３記載のいずれか一の医療処置の訓練用皮膚モデルのエコー画像の視認性を非水溶性の粉体又は繊維の濃度により調整することを特徴とする医療処置の訓練用皮膚モデルのエコー画像の視認性調整方法。
【請求項５】
請求項１乃至請求項３記載のいずれか一の医療処置の訓練用皮膚モデルに穿刺し、針先のエコー画像を視認しつつ穿刺手技訓練を行わせることを特徴とする超音波ガイド法の穿刺手技訓練方法。
【発明の詳細な説明】
【技術分野】
【０００１】
本発明は、人体の皮膚をシミュレーションして医療処置訓練を行うための医療処置の訓練用皮膚モデル、医療処置の訓練用皮膚モデルのエコー画像の視認性調整方法および超音波ガイド法の穿刺手技訓練方法に関する。
【背景技術】
【０００２】
超音波診断装置を用いた超音波検査は、現代医療において日常的に行われており、重要な検査となっている。人体の皮膚にプローブを当てると、超音波診断装置のモニタにエコー画像（超音波断層像）が描出される。そのエコー画像を介して体内の検査を行うことができる。
超音波検査は、穿刺の介助にも用いられている。例えば、中心静脈カテーテルの挿入法には、エコー画像を用いる超音波ガイド法（Ultrasound-guided technique）がある。また、超音波ガイド法には、エコーガイド下（超音波ガイド下）に穿刺を行うエコーガイド下による穿刺法（Real-time approach）がある。エコーガイド下による穿刺法は、中心静脈カテーテルの挿入に伴うリスク（合併症）が少ないとも言われている。
【０００３】
しかし、エコーガイド下による穿刺には、熟練した手技が必要となる。そのため、穿刺訓練のために人体の皮膚モデル（模擬皮膚）などの教育機材が求められている。
【０００４】
現在、医師や技術者などの訓練のために供する人体に近似した超音波ファントムが提供されている（例えば、特許文献１）。
【先行技術文献】
【特許文献】
【０００５】
【特許文献１】特開平１１−１５５８５６号
【発明の概要】
【発明が解決しようとする課題】
【０００６】
特許文献１の超音波ファントムは、母材にポリビニルアルコールを用いて、音響定数を人体のそれに近似させるため、グラファイト、ガラスビーズ、樹脂製微小中空球などの粉体を母材であるポリビニルアルコール懸濁液に混入するものである。これにより、医用超音波の研究、関連装置、器具等の開発製造、医師や技術者などの訓練のために供する、人体に近似した音響特性に調整が容易な、経時安定性に優れた超音波ファントムを提供することができる。
【０００７】
特許文献１の超音波ファントムでは、音響定数を人体に近似させるためにグラファイトを重量濃度６〜１３％混入させている。しかし、グラファイト重量濃度６〜１３％の超音波ファントムのエコー画像（超音波検査において超音波診断装置のモニタに描出される画像）は、不明瞭なものであり、内部の対象物体を視認できない場合があった。したがって、特許文献１の超音波ファントムは、エコーガイド下による穿刺法の訓練をおこなうための皮膚モデルとして使用することができないものであった。
【０００８】
本発明は、上述の問題を解決するものであって、エコーガイド下による穿刺法の訓練をおこなうことができる医療処置の訓練用皮膚モデル、医療処置の訓練用皮膚モデルのエコー画像の視認性調整方法および超音波ガイド法の穿刺手技訓練方法を提供することを目的とする。
【課題を解決するための手段】
【０００９】
本発明の医療処置の訓練用皮膚モデルは、平均重合度が５００〜４０００であり、ケン化度が９５モル％以上のポリビニルアルコールの水溶液と、平均粒子径が１００μｍ以下である非水溶性の粉体又は繊維とを混合する混合液をゲル化したものである。
また、非水溶性の粉体又は繊維の濃度を０．２質量％〜４．０質量％にするようにしたものである。
また、非水溶性の粉体が、炭酸カルシウムであるようにしたものである。
【００１０】
本発明の医療処置の訓練用皮膚モデルのエコー画像の視認性調整方法は、上記いずれか一の医療処置の訓練用皮膚モデルのエコー画像の視認性を非水溶性の粉体又は繊維の濃度により調整するようにしたものである。
【００１１】
本発明の超音波ガイド法の穿刺手技訓練方法は、上記いずれか一の医療処置の訓練用皮膚モデルに穿刺し、針先のエコー画像を視認しつつ穿刺手技訓練を行わせるようにしたものである。
【発明の効果】
【００１２】
本発明の医療処置の訓練用皮膚モデルは、エコーガイド下による穿刺を可能とするものである。これにより、人体の皮膚への穿刺などの医療処置のシミュレーションを行うことができる。また、本発明の医療処置の訓練用皮膚モデルは、ＭＲＩ装置の撮像対象としても利用できるものである。
本発明の医療処置の訓練用皮膚モデルのエコー画像の視認性調整方法によると、穿刺する人体の皮膚のエコー画像に近似するエコー画像を用いて、穿刺手技の訓練を行うことができる。
本発明の超音波ガイド法の穿刺手技訓練方法により、人体の皮膚でも再現できるように穿刺法を訓練することができる。
【図面の簡単な説明】
【００１３】
【図１】本発明の医療処置の訓練用皮膚モデルの使用状態を表わす図である。
【図２】実験例及び比較例の実験に使用する皮膚モデルへの超音波ガイド法による穿刺を示す図である。
【図３】比較例１の実験により得たエコー画像を表わす図である。
【図４】実験例１の実験により得たエコー画像を表わす図である。
【図５】実験例２の実験により得たエコー画像を表わす図である。
【図６】実験例３の実験により得たエコー画像を表わす図である。
【図７】実験例４の実験により得たエコー画像を表わす図である。
【図８】実験例５の実験により得たエコー画像を表わす図である。
【図９】実験例６の実験により得たエコー画像を表わす図である。
【図１０】実験例７の実験により得たエコー画像を表わす図である。
【図１１】実験例８の実験により得たエコー画像を表わす図である。
【図１２】実験例９の実験により得たエコー画像を表わす図である。
【図１３】実験例１０の実験により得たエコー画像を表わす図である。
【図１４】実験例１１の実験により得たエコー画像を表わす図である。
【図１５】実験例１２の実験により得たエコー画像を表わす図である。
【図１６】実験例１３の実験により得たエコー画像を表わす図である。
【図１７】実験例１４の実験により得たエコー画像を表わす図である。
【図１８】実験例１５の実験により得たエコー画像を表わす図である。
【図１９】実験例１６の実験により得たエコー画像を表わす図である。
【図２０】比較例２の実験により得たエコー画像を表わす図である。
【図２１】比較例３の実験により得たエコー画像を表わす図である。
【発明を実施するための形態】
【００１４】
本発明は、人体の皮膚の医療処置又は皮膚を通じた医療処置のシミュレーションを実現するものである。
【実施例】
【００１５】
本発明の医療処置の訓練用皮膚モデルを図１に基づいて説明する。図１は、本発明の医療処置の訓練用皮膚モデルの使用状態を表わす図である。図１（ａ）は、人体モデル（模擬人体）の動脈及び静脈に本発明の医療処置の訓練用皮膚モデルを取り付けた状態を表わす図であり、図１（ｂ）は図１（ａ）のＡ−Ａ断面図である。
本発明の医療処置の訓練用皮膚モデルは、医療処置を行う部位の模擬皮膚である。図１において、本発明の医療処置の訓練用皮膚モデル１０は、直方体に形成されているものであり、コンニャクのように弾力性のあるものであり、人体の皮膚に似た質感を有するものである。なお、図１の医療処置の訓練用皮膚モデル１０には、細長い管状の道具（たとえば、ストロー）を差し通して、人体モデルの動脈及び静脈を通すための貫通穴１２を形成している。
本発明の超音波ガイド法の穿刺手技訓練方法を図１に基づいて説明する。人体モデルの動脈と静脈を医療処置の訓練用皮膚モデル１０の貫通穴１２に差し入れ、人体モデルに医療処置の訓練用皮膚モデル１０を取り付ける（図１（ａ）（ｂ））。
医療処置の訓練用皮膚モデル１０（エコーガイド下）に穿刺し、針１４の針先１４ａのエコー画像１６を視認しつつ穿刺手技訓練を行う。エコー画像１６はプローブ１８を通じてモニタに描出される。
【００１６】
本発明の医療処置の訓練用皮膚モデルは、平均重合度が５００〜４０００であり、ケン化度が９５モル％以上のポリビニルアルコールの水溶液と、平均粒子径が１００μｍ以下である非水溶性の粉体又は繊維とを混合する混合液をゲル化したものである。
ポリビニルアルコールは、人体の皮膚の弾性に近づける観点から、平均重合度５００〜４０００が好ましく、１０００〜３０００がより好ましい。けん化度は、９５モル％以上が好ましく、９８モル％以上がより好ましい。また、濃度は５〜１５質量％が好ましい。
【００１７】
非水溶性の粉体は、入手性・安全性・コスト面等の点から、炭酸カルシウム、酸化アルミニウム、二酸化ケイ素、グラファイトの粉体が好ましい。但し、これらの粉体に限定するものではない。
【００１８】
非水溶性の繊維は、例えば、綿、麻、セルロース、絹、羊毛などの天然繊維、ナイロン、ポリエステルなどの合成繊維、ガラス繊維、炭素繊維などの無機繊維などが挙げられる。但し、これらの繊維に限定するものではない。
また、繊維として、セルロースを機械処理や化学処理によって平均繊維径が２００ｎｍ以下まで解繊処理したセルロースナノファイバーや、酢酸菌等のバクテリアにより産生されるバクテリアセルロースも利用できる。
【００１９】
本発明の医療処置の訓練用皮膚モデルの良好なエコー画像の視認性を得るため、非水溶性の粉体又は繊維の平均粒子径は１００μｍ以下であることが好ましい。
平均粒子径は、レーザー回折／散乱式粒度分布測定により得られる体積基準の５０％粒子径（メジアン径）である。非水溶性の粉体又は繊維の平均粒子径は、レーザー回折式粒度分布測定装置（マルバーン社製マスターサイザー３０００）により分散媒として水を用いて測定した。
【００２０】
本発明の医療処置の訓練用皮膚モデルは、以下の工程１〜工程３により成形することができる。
（工程１）水を攪拌しながらポリビニルアルコールと非水溶性の粉体又は繊維を加えた混合液を９０〜９５℃に昇温し溶解するまで攪拌することにより、ポリビニルアルコール水溶液と非水溶性の粉体又は繊維を混合する混合液を得る。
なお、本発明の医療処置の訓練用皮膚モデルを用いた医療処置訓練が実際の医療処置の感覚に近いものになるよう、混合液に顔料や染料などの着色剤や抗菌剤や安定剤などの添加剤を加えても良い。但し、添加剤は、エコー画像の視認性を妨げない程度の量にとどめるものとする。
（工程２）混合液を所定の型（成形缶）に流し込み凍結融解することにより、ゲル化させる。人体の皮膚の弾性に近づける観点から、凍結温度は−５℃以下が好ましく、−２０℃以下がより好ましい。凍結時間は、１時間から２０時間が好ましい。融解は、例えば、室温中に静置する、もしくは乾燥機などにより加熱することにより行う。但し、これらの融解方法に限るものではない。
また、人体の部位の皮膚に近似する弾性を得るために、凍結と融解の工程を複数回繰り返して行う。
（工程３）ゲルを型から取り外すことにより、医療処置の訓練用皮膚モデルを得る。
【００２１】
図２は、実験例及び比較例の実験に使用する皮膚モデルへの超音波ガイド法による穿刺を示す図である。実験例１〜１６及び比較例１〜３の皮膚モデル２０に超音波ガイド法により穿刺し、プローブ１８を移動させながらエコー画像１６中の針先１４ａの視認性（見え易さ）を確認する実験を実施した。実験例及び比較例の実験に得たエコー画像１６を図３乃至図２１に示す。図３乃至図２１のエコー画像１６中に表れる輝点が針先１４ａである。また、図３乃至図２１のエコー画像１６は短軸像である。
【００２２】
（本実験にて使用した皮膚モデル）
蒸留水に実験例及び比較例の非水溶性の粉体または繊維と、ポリビニルアルコール（日本酢ビ・ポバール株式会社製ＪＣ‐１７ＫＢ、平均重合度１７００、けん化度９９モル％）とを加え、加熱しながら攪拌することによりポリビニルアルコールを溶解し、ポリビニルアルコール１０質量％と実験例及び比較例の非水溶性の粉体または繊維を含む混合液を調製した。調整した混合液を型（成形缶）に流し込み、冷凍庫中で−２０℃にて８時間凍結した後、解凍した。さらに、同様の操作（−２０℃で８時間の凍結の後解凍）を繰り返し、混合液をゲル化した。得られたゲルを型から取り外すことにより実験に使用する皮膚モデル２０を得た。
【００２３】
（実験例１〜１１について）
実験例１〜１１では、非水溶性の粉体として平均粒子径１５．９μｍの炭酸カルシウム（和光純薬工業株式会社製）を用いた、粉体の濃度０．０５質量％（実験例１）、０．１質量％（実験例２）、０．２質量％（実験例３）、０．３質量％（実験例４）、０．５質量％（実験例５）、１．０質量％（実験例６）、１．５質量％（実験例７）、２．０質量％（実験例８）、３．０質量％（実験例９）、４．０質量％（実験例１０）、５．０質量％（実験例１１）の各皮膚モデル２０を使用して、穿刺手技における針先１４ａの視認性（針先１４ａの見え易さ）の確認実験を行った。
【００２４】
（実験例１２〜１６について）
実験例１２では、非水溶性の粉体として平均粒子径４９．５μｍの酸化アルミニウム（和光純薬工業株式会社製）を用いた、粉体の濃度０．３質量％の皮膚モデル２０を使用して、穿刺手技における針先１４ａの視認性の確認実験を行った。
実験例１３では、非水溶性の粉体として平均粒子径２７．４μｍのグラファイト（和光純薬工業株式会社製）を用いた、粉体の濃度０．３質量％の皮膚モデル２０を使用して、穿刺手技における針先１４ａの視認性の確認実験を行った。
実験例１４では、非水溶性の粉体として平均粒子径９．１３μｍの二酸化ケイ素（和光純薬工業株式会社製）を用いた、粉体の濃度０．３質量％の皮膚モデル２０を使用して、穿刺手技における針先１４ａの視認性の確認実験を行った。
実験例１５では、非水溶性の繊維として平均粒子径５４．６μｍのセルロース（ＳＩＧＭＡ‐ＡＬＤＲＩＣＨ  Ｃｏ．製）を用いた、繊維の濃度０．５質量％の皮膚モデル２０を使用して、穿刺手技における針先１４ａの視認性の確認実験を行った。
実験例１６では、非水溶性の繊維としてセルロースナノファイバー（株式会社スギノマシン製ＢｉＮＦｉ−ｓ（登録商標））を用いた、繊維の濃度０．３質量％の皮膚モデル２０を使用して、穿刺手技における針先１４ａの視認性の確認実験を行った。
【００２５】
（比較例について）
比較例１（比較実験）では、非水溶性の粉体又は繊維を混合しない、ポリビニルアルコール（日本酢ビ・ポバール株式会社製ＪＣ‐１７ＫＢ、平均重合度１７００、けん化度９９モル％）の水溶液のみをゲル化した皮膚モデル２０を使用して、穿刺手技における針先１４ａの視認性の確認実験を行った。
比較例２（比較実験）では、非水溶性の粉体として平均粒子径２７．４μｍのグラファイト（和光純薬工業株式会社製）を用いた、粉体の濃度１０質量％の皮膚モデルを使用して、穿刺手技における針先１４ａの視認性の確認実験を行った。本比較例で使用する医療処置の訓練用皮膚モデルの材質は、特許文献１に記載の超音波ファントムの材質とほぼ同じものである。
比較例３では、非水溶性の粉体として平均粒子径１１６μｍの二酸化ケイ素（和光純薬工業株式会社製）を用いた、粉体の濃度０．３質量％の皮膚モデル２０を使用して、穿刺手技における針先１４ａの視認性の確認実験を行った。
【００２６】
実験の結果は、表１に示すとおりである。図３乃至図２１は、実験例１〜１６、比較例１〜３の実験により得たエコー画像を表わす図である。図３乃至図２１のエコー画像は、皮膚モデル２０の短軸像である。
穿刺手技における針先の視認性の判断は、図３乃至図２１のエコー画像に基づいて穿刺された針の針先と皮膚モデル部分とが明瞭に区別できるかどうか（針先を明確に確認できるか）で判断した。明瞭に区別できると判断した皮膚モデルには表１に「〇」を、明瞭に区別できないと判断した皮膚モデルには表１に「×」をそれぞれ表記した。
【００２７】
【表１】
2020166187.tif 000003
【００２８】
本実験によると、実験例で使用した非水溶性の粉体（炭酸カルシウム、酸化アルミニウム、グラファイト、二酸化ケイ素）が所定の濃度である皮膚モデルは、穿刺手技における針先の視認性が認められた（実験例３乃至実験例１０及び図６乃至図１３、実験例１２乃至実験例１４及び図１５乃至図１７）。また、非水溶性の繊維（セルロース、セルロースナノファイバー）についても所定の濃度である皮膚モデルにおいて針先の視認性が認められた（実験例１５、１６及び図１８、１９）。
本実験により、非水溶性の粉体又は繊維の濃度が０．２質量％以上４．０質量％以下であるとき、針先の視認性が認めることが分かった（実験例３乃至実験例１０、実験例１２乃至実験例１６）。
他方、実験例１及び実験例２（粉体の濃度０．２質量％未満の場合）では、皮膚モデル内部が不均一であったため、針先を明確に確認することができなかった（図４及び図５）。
また、実験例１１（粉体の濃度４．０質量％を超える場合）では、針先と皮膚モデル内部とのコントラストが明確ではなかったため、針先が不明瞭であった（図１４）。
【００２９】
比較例１では、針先の特定が困難であった（図３）。
比較例２では、針先は不明瞭であった（図２０）。なお、特許文献１には、混入グラファイトの重量濃度が６〜１３％の間で人体の脂肪、腎臓、肝臓等の超音波に対する減衰係数を近似できると記載されているが、グラファイトの濃度１０質量％の皮膚モデルでは、針先が不明瞭であった。
比較例３（粉体又は繊維が平均粒子径１００μｍを超える場合）では、皮膚モデル内部が不均一であったため、針先を明確に確認することができなかった（図２１）。
【００３０】
本実験により得たエコー画像を比較すると、非水溶性の粉体又は繊維の濃度により皮膚モデルのエコー画像の視認性が変化することが分かった（図６乃至図１３、図１５乃至図１９）。これにより、穿刺する人体の皮膚のエコー画像に近似するエコー画像を用いて、穿刺手技の訓練を行うことができる。
【００３１】
本実験において、複数の観察者（実験者）による医療処置の訓練用皮膚モデルの官能評価では、コンニャクのように弾力性があり、皮膚モデルの強度、質感・触感、穿刺、切開などの感触が人体の皮膚に酷似するものであることが分かった。
なお、本実験において、医療処置の訓練用皮膚モデルの強度と濃度の関係について、セルロースナノファイバーの混合濃度によって強度を調整できることが分かった。
【００３２】
以上のことから、本発明の医療処置の訓練用皮膚モデルに穿刺し、針先のエコー画像を視認しつつ穿刺手技訓練を行わせることが可能であることが分かった。本発明の医療処置の訓練用皮膚モデルを用いると、人体の皮膚でも再現できるように穿刺法を訓練することができる。たとえば、１）動静脈へカテーテルを挿入をするためのエコーガイドによる穿刺、２）胸腔内の液体貯留の確認及び吸引を行うためのエコーガイドによる穿刺、３）上記１）と２）に付随する穿刺部位付近の皮膚切開、４）皮膚内への液体の投与等について、その医療処置をシミュレーションすることができる。
【００３３】
本発明の医療処置の訓練用皮膚モデルは、人体の表面を覆っている層（血管などの器官を除く、表皮・真皮・皮下組織の構成からなる層に相当するもの）の模擬皮膚であるが、例えば、胸壁（皮膚から壁側胸膜までの部分）のように、皮膚を含む部位のモデルも含む概念である。すなわち、本発明の医療処置の訓練用皮膚モデルは、胸腔内の液体貯留の確認及び吸引を行うための、エコーガイドによる穿刺手技訓練にも利用可能なものである。
【符号の説明】
【００３４】
１０  医療処置の訓練用皮膚モデル
１４ａ  針先
１６  エコー画像
【図１】
2020166187.tif 000004
【図２】
2020166187.tif 000005
【図３】
2020166187.tif 000006
【図４】
2020166187.tif 000007
【図５】
2020166187.tif 000008
【図６】
2020166187.tif 000009
【図７】
2020166187.tif 000010
【図８】
2020166187.tif 000011
【図９】
2020166187.tif 000012
【図１０】
2020166187.tif 000013
【図１１】
2020166187.tif 000014
【図１２】
2020166187.tif 000015
【図１３】
2020166187.tif 000016
【図１４】
2020166187.tif 000017
【図１５】
2020166187.tif 000018
【図１６】
2020166187.tif 000019
【図１７】
2020166187.tif 000020
【図１８】
2020166187.tif 000021
【図１９】
2020166187.tif 000022
【図２０】
2020166187.tif 000023
【図２１】
2020166187.tif 000024